(57)【要約】【課題】簡易な構成で、入浴しているときに人体に対して按摩し、又は清潔することを選択的に行うことができ、按摩用手袋および清潔用手袋を別々に用意することが必要なくなる手袋を提供する。【解決手段】人体の掌を貫入して着用するための収容空間を有する手袋であって、前記手袋の外面の一面は清潔用面に形成され、前記清潔用面には適当に離間された長突起が多数に設けてあり、外力を受ける場合には、前記長突起が大幅に揺動するようになりユーザの身体を清潔し、前記手袋の外面の一面は按摩用面に形成され、前記按摩用面には適当に離間された短突起が多数に設けてあり、外力を受ける場合には、前記短突起が小さい幅で揺動するようになりユーザの身体を按摩することを特徴とする手袋。【選択図】図４
0003133407.tif 000002
【実用新案登録請求の範囲】
【請求項１】
人体の掌を貫入して着用するための収容空間を有する手袋であって、
前記手袋の外面の一面は清潔用面に形成され、前記清潔用面には適当に離間された長突起が多数に設けてあり、外力を受ける場合には、前記長突起が大幅に揺動するようになりユーザの身体を清潔し、
前記手袋の外面の一面は按摩用面に形成され、前記按摩用面には適当に離間された短突起が多数に設けてあり、外力を受ける場合には、前記短突起が小さい幅で揺動するようになりユーザの身体を按摩することを特徴とする、手袋。
【請求項２】
手袋はエマルジョン（LATEX）で一体成形されたものであることを特徴とする、請求項１に記載の手袋。
【請求項３】
手袋は天然ゴム（NATURAL RUBBER）で一体成形されたものであることを特徴とする、請求項１に記載の手袋。
【請求項４】
前記長突起の端部は半球形状を呈することを特徴とする、請求項１に記載の手袋。
【請求項５】
前記短突起の端部は円錐形状を呈することを特徴とする、請求項１に記載の手袋。
【考案の詳細な説明】
【技術分野】
【０００１】
本考案は、手袋に係り、特に、入浴しているときに、ユーザの身体を清潔し、又は按摩することを選択的に使用可能な手袋に関するものである。
【背景技術】
【０００２】
台湾特許第86216574号に提案された按摩用手袋は、人体の掌の形状に合う収容空間を有し、且つシリコンゴムで一体成形されたものであり、その腕部にはユーザの手を入れ可能な開口が開設してあり、各指部にはユーザの指を貫通して外側に突出可能な貫通孔が開設してあり、前記開口と前記貫通孔とにより、ユーザの手が完全にカバーされないようになり、且つ入浴している際に按摩用手袋に流入された水が流出可能になり、そして手袋の外面の両面には適当に離間された突起が多数に設けてあり、前記突起により、ユーザは、指または掌全面で身体を按摩可能であり、且つ手袋の外面は、両面とも突起が設けてあるので、手袋は左右の分別がない。
【特許文献１】台湾特許第86216574号
【考案の開示】
【考案が解決しようとする課題】
【０００３】
しかしながら、従来の按摩用手袋によれば、手袋の外面の両面に成形された突起は、人体を按摩するだけの機能を有し、人体を清潔する機能がないので、人体を清潔するための手袋を別に用意することが必要なので、使用上は極めて不便である。
【課題を解決するための手段】
【０００４】
上記目的を達成するためになされた本願の考案は、人体の掌を貫入して着用するための収容空間を有する手袋であって、前記手袋の外面の一面は清潔用面に形成され、前記清潔用面には適当に離間された長突起が多数に設けてあり、外力を受ける場合には、前記長突起が大幅に揺動するようになりユーザの身体を清潔し、前記手袋の外面の一面は按摩用面に形成され、前記按摩用面には適当に離間された短突起が多数に設けてあり、外力を受ける場合には、前記短突起が小さい幅で揺動するようになりユーザの身体を按摩することを特徴とする手袋であることを要旨としている。
【０００５】
本願の考案では、手袋がエマルジョン（LATEX）で一体成形されたものであることを特徴とする請求項１に記載の手袋であることを要旨としている。
【０００６】
本願の考案では、手袋が天然ゴム（NATURAL RUBBER）で一体成形されたものであることを特徴とする請求項１に記載の手袋であることを要旨としている。
【０００７】
本願の考案では、前記長突起の端部は半球形状を呈することを特徴とする請求項１に記載の手袋であることを要旨としている。
【０００８】
本願の考案では、前記短突起の端部は円錐形状を呈することを特徴とする請求項１に記載の手袋であることを要旨としている。
【考案の効果】
【０００９】
本考案の手袋によれば、簡易な構成で、入浴しているときに人体の按摩および清潔を選択的に行うことができ、按摩用手袋および清潔用手袋を別々に用意することが必要なくなる効果を有する。
【考案を実施するための最良の形態】
【００１０】
以下、添付図面を参照して本考案の好適な実施の形態を詳細に説明する。
【００１１】
まず、図２を参照する。本考案の手袋２０は、エマルジョン（LATEX）、又は天然ゴム（NATURAL RUBBER）で一体成形されたものであり、これにより、人体の皮膚に近づけて清潔し、又は按摩することができる。本考案の手袋２０は、人体の掌を貫入して着用するための収容空間２１を有する。
【００１２】
前記手袋２０の外面の一面は清潔用面２２に形成され、前記清潔用面２２は、指部２２１と、掌部２２２と、腕部２２３とを含み、指部２２１の一側が掌部２２２の一側と連接し、掌部２２２の他側が腕部２２３の一側と連接し、指部２２１と掌部２２２との表面には適当に離間された長突起２２４が多数に設けてあり、長突起２２４は、弾性を持つので、外力を受ける場合には、長突起２２４が大幅に揺動するようになって泡が大量に発生することにより、ユーザの身体を清潔することができ、且つ長突起２２４の端部は半球形状を呈するので、人体の皮膚との揉みがもっとスムーズになる。
【００１３】
また、前記手袋２０の外面の一面は按摩用面２３に形成され、前記按摩用面２３は、指部２３１と、掌部２３２と、腕部２３３とを含み、指部２３１の一側が掌部２３２の一側と連接し、掌部２３２の他側が腕部２３３の一側と連接し、指部２３１と掌部２３２との表面には適当に離間された短突起２３４が多数に設けてあり、短突起２３４の長さは長突起２２４よりも短く、そして短突起２３４の端部は円錐形状を呈し、短突起２３４は、弾性を持つので、外力を受ける場合には、短突起２３４がより小さい幅で揺動するようになってユーザの身体を按摩することができ、また、短突起２３４の端部は円錐形状を呈するので、按摩の触感がもっと良くなる。
次に、図３と図４と図５を参照しながら本考案の作動方式を詳細に説明する。
【００１４】
本考案の手袋２０の使用方法は、図３に示すように、収容空間２１にユーザの掌を貫入して着用した後、状況を見て清潔用面２２や按摩用面２３を選択的に使用して、清潔用面２２で人体を清潔し、又は按摩用面２３で人体を按摩することができる。
【００１５】
また、清潔用面２２で人体を清潔する場合には、図４に示すように、長突起２２４は、弾性を持つので、外力を受ける場合には、長突起２２４が大幅に揺動するようになって泡が大量に発生することにより、ユーザの身体を清潔することができ、且つ長突起２２４の端部は半球形状を呈するので、人体の皮膚との揉みがもっとスムーズになり、人体に付着した汚れの除去効果がもっと良くなる。
【００１６】
また、按摩用面２３で人体を按摩する場合には、図５に示すように、短突起２３４は、弾性を持つので、外力を受ける場合には、短突起２３４がより小さい幅で揺動するようになってユーザの身体を按摩することができ、また、短突起２３４の端部は円錐形状を呈するので、按摩の触感がもっと良くなり、按摩力のコントロールがもっと確実になる。
【００１７】
上記の説明から明らかなように、本考案の手袋２０の外面には清潔用面２２と按摩用面２３とが設けてあり、状況を見て清潔用面２２や按摩用面２３を選択的に使用して、清潔用面２２で人体を清潔し、又は按摩用面２３で人体を按摩することができ、一つのもので二つの機能を有するので、使用上の便利性が極めて高い。
【図面の簡単な説明】
【００１８】
【図１】本考案の清潔用面の斜視概略図である。
【図２】本考案の按摩用面の斜視概略図である。
【図３】本考案の手袋を手に着用した状態を示す概略図である。
【図４】本考案の清潔用面の使用状態を示す概略図である。
【図５】本考案の按摩用面の使用状態を示す概略図である。
【符号の説明】
【００１９】
２０      手袋       
２１      収容空間
２２      清潔用面
２２１    指部
２２２    掌部       
２２３    腕部
２２４    長突起
２３      按摩用面
２３１    指部       
２３２    掌部
２３３    腕部       
２３４    短突起
【図１】
0003133407.tif 000003
【図２】
0003133407.tif 000004
【図３】
0003133407.tif 000005
【図４】
0003133407.tif 000006
【図５】
0003133407.tif 000007
【手続補正書】
【提出日】平成19年5月9日(2007.5.9)
【手続補正１】
【補正対象書類名】実用新案登録請求の範囲
【補正対象項目名】請求項２
【補正方法】変更
【補正の内容】
【請求項２】
手袋はエマルジョンで一体成形されたものであることを特徴とする、請求項１に記載の手袋。